(57)【特許請求の範囲】
【請求項１】
室内の除湿および衣類の乾燥を行なう除湿機であって、
室内から空気を導入される導入口と、
室内から前記導入口を介して導入された空気を乾燥させて、当該除湿機外に排出する乾燥ユニットと、
室内の湿度を検出する室内湿度センサと、
当該除湿機本体の所定箇所に設置され温度を検出する本体温度センサと、
前記室内湿度センサおよび前記本体温度センサの検出出力を入力され、前記乾燥ユニットの運転状態を制御する制御部とを含み、
前記乾燥ユニットは、吸湿剤、および、当該吸湿剤を再生させるためのヒータを備え、
前記制御部は、前記室内湿度センサの検出した湿度が所定の湿度未満であって、前記本体温度センサの検出した温度が所定の温度未満である場合には、前記ヒータのみを停止させたまま、前記乾燥ユニットを運転させ、
前記本体温度センサは、前記ヒータによって加熱され、前記吸湿剤を乾燥するために当該吸湿剤に向けて送られる、再生空気の温度を検出する、除湿機。
【請求項２】
室内の除湿および衣類の乾燥を行なう除湿機であって、
室内から空気を導入される導入口と、
室内から前記導入口を介して導入された空気を乾燥させて、当該除湿機外に排出する乾燥ユニットと、
室内の湿度を検出する室内湿度センサと、
当該除湿機本体の所定箇所に設置され温度を検出する本体温度センサと、
前記室内湿度センサおよび前記本体温度センサの検出出力を入力され、前記乾燥ユニットの運転状態を制御する制御部とを含み、
前記乾燥ユニットは、吸湿剤、および、当該吸湿剤を再生させるためのヒータを備え、
前記制御部は、前記室内湿度センサの検出した湿度が所定の湿度未満であって、前記本体温度センサの検出した温度が所定の温度未満である場合には、前記ヒータのみを停止させたまま、前記乾燥ユニットを運転させ、
前記本体温度センサは、当該除湿機外に排出される空気の温度を検出する、除湿機。
【請求項３】
室内の除湿および衣類の乾燥を行なう除湿機であって、
室内から空気を導入される導入口と、
室内から前記導入口を介して導入された空気を乾燥させて、当該除湿機外に排出する乾燥ユニットと、
室内の湿度を検出する室内湿度センサと、
当該除湿機本体の所定箇所に設置され温度を検出する本体温度センサと、
前記室内湿度センサおよび前記本体温度センサの検出出力を入力され、前記乾燥ユニットの運転状態を制御する制御部とを含み、
前記乾燥ユニットは、吸湿剤、および、当該吸湿剤を再生させるためのヒータを備え、
前記制御部は、前記室内湿度センサの検出した湿度が所定の湿度未満であって、前記本体温度センサの検出した温度が所定の温度未満である場合には、前記ヒータのみを停止させたまま、前記乾燥ユニットを運転させ、
前記本体温度センサは、前記ヒータによって加熱されかつ前記吸湿剤を乾燥するために当該吸湿剤に向けて送られる、再生空気の温度を検出する第１の温度センサと、当該除湿機外に排出される空気の温度を検出する第２の温度センサとを備え、
前記制御部は、前記第１の温度センサの検出した温度が予め定められた第１の温度未満であり、かつ、前記第２の温度センサの検出した温度が予め定められた第２の温度未満である場合に、前記本体温度センサの検出した温度が前記所定の温度未満であると判断する、除湿機。
【発明の詳細な説明】
【０００１】
【発明の属する技術分野】
本発明は、除湿機およびその制御方法に関するものであり、特に、吸湿剤を再生するためのヒータを備える除湿機およびその制御方法に関する。
【０００２】
【従来の技術】
従来の回転式除湿材を備えた乾式除湿機の構成についてまず説明する。図９は、従来の除湿機の全体構成を説明するための図である。
【０００３】
図９を参照して、除湿ロータ３１は、平面シートに片波成形体を巻回したハニカムロータの表面や内部にゼオライト（吸湿剤）を担持させたもので、ゼオライトには潮解現象がなく、結晶質で安定した細孔構造を持ち、水分吸着に対して劣化が少なく、長期間安定した吸湿作用を有する。
【０００４】
被除湿空気３２は、除湿ファン４５に吸引され、フィルター３３で粗いゴミを取去られ、凝縮器３４を通過する。被除湿空気３２は、凝縮器３４を通過する際、後述のように、暖かく湿った凝縮器３４内部の再生空気を冷却して、当該再生空気中の水分を結質させる。
【０００５】
凝縮器３４を通過した被除湿空気３２は、除湿ロータ３１を通過し、吸湿剤に吸湿させ、乾燥空気３６となり、熱回収熱交換器３５にて熱回収後、室内に放出される。
【０００６】
吸湿した除湿ロータ３１の吸湿剤を再生させるため、再生ヒータ１９にて２００℃〜２５０℃に加熱された再生空気が、再生ファン３８により、除湿ロータ３１に送られる。加熱された再生空気は、除湿ロータ３１の吸湿剤から水分を受取り、暖かく湿った空気となり、凝縮器３４にて冷却され、水分を結露させて排出する。結露水３９は、水受タンク４０に導かれる。
【０００７】
水受タンク４０には、水位を検知するフロートスイッチ（図示せず）が備えられ、所定の水位を検知すると、備えられている揚水ポンプ４１を運転し、揚水チューブ４８を経て、貯水タンク４２に結露水３９が蓄えられる。
【０００８】
除湿ロータ３１は駆動モータ（図示せず。以下「ロータモータ」と称する。）で回転されており、被除湿空気３２が通過する除湿部４６と加熱された熱風が通過する再生部４７は少しずつ回転移動されており、吸湿しても、また再生される。つまり、除湿ロータは、連続的に使用可能である。
【０００９】
除湿ロータ３１は、少しずつ回転移動しつつ、加熱された熱風を供給されるため、暖められている。ここに被除湿空気３２が通過するため、乾燥空気３６も暖められる。そして、暖められた乾燥空気３６は、熱回収熱交換器３５によって熱を回収される。熱回収熱交換器３５の内部には、凝縮器３４で結露水３９を排出した後の再生空気が通過し、乾燥空気３６によって暖められる。再生空気が乾燥空気３６によって暖められた分だけ、再生ヒータ１９の電力を節約できる。再生空気は上記のように、閉回路中を、繰返し使用されている。
【００１０】
再生空気が使用される経路内での異常温度上昇を判定するため、再生空気が除湿ロータ３１から出た直後の位置に再生温度センサ（図９では省略）が設けられ、また、除湿ロータ３１の異常過熱や器具内部の異常温度上昇を検知するための、乾燥空気３６の温度を測定する排気温度センサ（図９では省略）が設けられている。そして、従来の除湿機における衣類乾燥用の制御を、図１０を参照しつつ説明する。
【００１１】
衣類乾燥用の運転では、上記の排気温度センサと再生温度センサの検出温度が読込まれ（ＳＡ１）、センサの検出温度がいずれもが、それぞれに対して予め定められた温度未満であることが確認されると（ＳＡ２でＹＥＳ判断時）、再生ヒータ１９等がＯＮされて除湿運転が行なわれていた（ＳＡ３）。
【００１２】
そして、運転中も、排気温度センサと再生温度センサの検出温度が読込まれ（ＳＡ４）、排気温度センサと再生温度センサの検出温度がいずれも予め定められた温度未満であれば（ＳＡ５でＹＥＳ判断時）、除湿運転が続行される（ＳＡ６）。ＳＡ４〜ＳＡ６の処理は、除湿運転を継続するが否かが判断される（ＳＡ７でＮＯと判断される）まで続行される。なお、運転を終了すると判断すると、内部タイマのカウントが開始される（ＳＡ９）。
【００１３】
なお、両センサの検出温度の少なくとも一方が予め定められた温度以上となったことが、運転開始前（ＳＡ２でＮＯ判断時）、または、運転中（ＳＡ５でＮＯ判断時）に、確認された場合には、エラー表示がなされ（ＳＡ８）、内部タイマのカウントが開始される（ＳＡ９）。
【００１４】
その後、ＳＡ９で開始された内部タイマのカウントが終了するまで、除湿機内部を冷却するため、再生ヒータ１９のみ運転が停止され各種ファンの運転は続行された後ＳＡ１０，ＳＡ１１）、処理が終了される。
【００１５】
つまり、従来の除湿機では、上記の両センサのいずれか一方でも予め定められた温度以上であると判断されると、除湿運転が中止され、当該センサの検出温度が下がるまで、冷却のための運転がなされるため、乾燥のための運転は停止されていた。
【００１６】
【発明が解決しようとする課題】
上記したように、従来の除湿機の衣類乾燥用の運転では、室内の湿度が比較的低い場合でも除湿運転が行なわれていた。このため、除湿運転の際に除湿ロータ３１に吸着する水分の量がわずかなものとなり、加熱部１９から除湿ロータ３１に与えられる熱量が簡単に過剰となって除湿運転が停止されてしまう場合があった。つまり、室内の湿度が低い場合には、衣類乾燥用等で除湿運転を行ないたい場合であっても行なえない場合があった。
【００１７】
本発明は、かかる実情に鑑み考え出されたものであり、その目的は、本体内の部材の過剰な温度上昇を防止しつつ、室内の湿度が低い場合でも除湿運転を行なえる除湿機を提供することである。
【００１８】
【課題を解決するための手段】
本発明に従った除湿機は、室内の除湿および衣類の乾燥を行なう除湿機であって、室内から空気を導入される導入口と、室内から前記導入口を介して導入された空気を乾燥させて、当該除湿機外に排出する乾燥ユニットと、室内の湿度を検出する室内湿度センサと、当該除湿機本体の所定箇所に設置され温度を検出する本体温度センサと、前記室内湿度センサおよび前記本体温度センサの検出出力を入力され、前記乾燥ユニットの運転状態を制御する制御部とを含み、前記乾燥ユニットは、吸湿剤、および、当該吸湿剤を再生させるためのヒータを備え、前記制御部は、前記室内湿度センサの検出した湿度が所定の湿度未満であって、前記本体温度センサの検出した温度が所定の温度未満である場合には、前記ヒータのみを停止させたまま、前記乾燥ユニットを運転させることを特徴とする。
【００１９】
本発明に従うと、乾燥の対象となる空気の湿度がある程度低く、吸湿剤の再生がある程度で充分であると考えられる場合であって、除湿機本体または内部の温度が予め定められた温度未満の場合には、乾燥ユニットが運転中であってもヒータの運転が停止される。
【００２０】
これにより、室内の湿度が低い場合にヒータが無駄に運転されることを回避できる。したがって、除湿機において、本体内の部材の過剰な温度上昇を防止しつつ、室内の湿度が低い場合でも除湿運転が可能となる。
【００２１】
また、本発明のある局面に従った除湿機では、前記本体温度センサは、前記ヒータによって加熱され、前記吸湿剤を乾燥するために当該吸湿剤に向けて送られる、再生空気の温度を検出する。
【００２２】
これにより、本体温度センサの温度を検出することにより、吸湿剤を乾燥させる度合いを調節できる。
【００２３】
また、本発明の他の局面に従った除湿機では、前記本体温度センサは、当該除湿機外に排出される空気の温度を検出する。
【００２４】
これにより、乾燥の対象となる空気の状態に応じて、除湿機の動作制御を行なえる。
【００２５】
また、本発明のさらに他の局面に従った除湿機では、前記本体温度センサは、前記ヒータによって加熱されかつ前記吸湿剤を乾燥するために当該吸湿剤に向けて送られる、再生空気の温度を検出する第１の温度センサと、当該除湿機外に排出される空気の温度を検出する第２の温度センサとを備え、前記制御部は、前記第１の温度センサの検出した温度が予め定められた第１の温度未満であり、かつ、前記第２の温度センサの検出した温度が予め定められた第２の温度未満である場合に、前記本体温度センサの検出した温度が前記所定の温度未満であると判断する。
【００２６】
これにより、除湿機において、吸湿剤の乾燥度合いを調節でき、かつ、乾燥の対象となる空気の状態に応じた動作制御を行なうことができる。
【００３３】
【発明の実施の形態】
以下に、本発明の除湿機の実施の形態を、図面を参照しつつ説明する。
【００３４】
［第１の実施の形態］
図１は、本実施の形態の除湿機の制御ブロック図である。
【００３５】
本実施の形態の除湿機は、除湿機の全体的な動作を制御する制御部１０、および、図９を用いて説明した、再生ヒータ１９、再生ファン３８、除湿ファン４５等の構成要素を備えている。さらに、除湿機は、当該除湿機が乾燥の対象とする室内の湿度を検出する湿度センサ４、除湿ロータ３１（図９参照）から出た直後の空気の温度を検出する再生温度センサ８、除湿機に室内の衣類を乾燥させるためにユーザが操作する衣類乾燥スイッチ２、除湿機に室内の乾燥をさせるためにユーザが操作する自動除湿スイッチ３、除湿機に乾燥の運転を開始させるためにユーザが操作する運転スイッチ１、再生ヒータ１９を駆動させる駆動部７、除湿ロータ３１の駆動モータであるロータモータ３１Ａ、ロータモータ３１Ａおよび再生ファン３８を駆動させる駆動部３０、および、除湿ファン４５を駆動させる駆動部５０を備えている。
【００３６】
制御部１０は、除湿機の運転のモードを判定する運転モード判定部５、および、計時機能を有するタイマ６を備えている。除湿機では、表１に示す３つの運転モード（衣類乾燥、送風運転、冷却運転）があり、運転モード判定部５は、これらの中のいずれの運転モードが実行されているのかを判定する。
【００３７】
【表１】
0003830797.tif 000002
【００３８】
表１を参照して、除湿機では、各運転モードに対応して、再生ヒータ１９、除湿ファン４５、ロータモータ３１Ａ、および、再生ファン３８の動作態様が設定されている。なお、再生ヒータ１９の出力は、表２のように、再生ヒータ１９に供給される電力量（設定Ｗ［ワット］数、Ｗ３＞Ｗ２＞Ｗ１）に応じて、強、中、弱の３段階に設定可能である。また、除湿ファン４５の出力も、表３に示すように、ファンの風量（設定風量、Ｑ３＞Ｑ２＞Ｑ１）に応じて、強、中、弱の３段階に設定可能である。
【００３９】
【表２】
0003830797.tif 000003
【００４０】
【表３】
0003830797.tif 000004
【００４１】
運転モード判定部５は、再生ヒータ１９の出力が充分であるか等を判定するヒータ出力判定部１１を備えている。湿度センサ４および再生温度センサ８の検出出力は、ヒータ出力判定部１１に入力される。ヒータ出力判定部１１は、当該検出出力に基づき、駆動部７を介して、再生ヒータ１９の出力を制御する。
【００４２】
衣類乾燥スイッチ２、自動除湿スイッチ３、および、運転スイッチ１に対して操作がなされると、それに応じて、運転モード判定部５に各スイッチに対応する信号が入力される。
【００４３】
図２は、除湿機において運転スイッチ１および衣類乾燥スイッチ２が操作された際に制御部１０が実行する制御フローチャートである。以下に、図２を参照しつつ、除湿を行なう際の、除湿機における動作内容を説明する。
【００４４】
運転スイッチ１が操作された後、衣類乾燥スイッチ２が操作されると、Ｓ１で、制御部１０は、再生温度センサ８の検出出力を読込む。なお、再生温度センサ８の検出した温度を、以降、再生経路温度と言う。
【００４５】
そして、制御部１０は、Ｓ２で、再生経路温度と予め設定された温度データ（設定値：ＴＡ）とを比較し、再生経路温度が設定値ＴＡ以上の場合は、故障による異常温度上昇とみなして、Ｓ９に処理を進め、エラー表示をする。一方、再生経路温度が設定値ＴＡ未満である場合には、処理をＳ３に進める。
【００４６】
Ｓ３では、制御部１０は、衣類乾燥運転を行なう。衣類乾燥運転では、再生ヒータ１９、除湿ファン４５、再生ファン３８、および、ロータモータ４５がＯＮ（駆動）される。
【００４７】
Ｓ３で衣類乾燥運転を開始した後、制御部１０は、Ｓ４で、再生温度センサ８および湿度センサ４の検出信号を読込む。そして、Ｓ５で、これらの検出出力をそれぞれ設定値ＴＡ，予め定められた湿度データ（設定値：ＨＡ）と比較し、再生経路温度が上記の設定値ＴＡ未満であり、かつ、室内湿度が設定値ＨＡ以上である場合には、処理をＳ８に進める。一方、再生経路温度が設定値ＴＡ以上であるか、または、室内湿度が設定値ＨＡ未満である場合には、処理をＳ６に進める。
【００４８】
Ｓ８では、制御部１０は、再生ヒータ１９、除湿ファン４５、再生ファン３８、および、ロータモータ４５をＯＮして、処理をＳ１０に進める。
【００４９】
一方、Ｓ６では、制御部１０は、再生温度センサ８および湿度センサ４の検出信号をそれぞれ設定値ＴＡ，予め定められた湿度データ（設定値：ＨＢ＞ＨＡ）と比較し、再生経路温度が設定値ＴＡ未満であり、かつ、室内湿度が設定値ＨＢ未満である場合には、処理をＳ７に進める。一方、そうでない場合、つまり、再生経路温度が設定値ＴＡ以上である場合には、Ｓ９でエラー表示を行なった後、処理をＳ１１に進める。
【００５０】
Ｓ７では、制御部１０は、再生ヒータ１９をＯＦＦし、かつ、除湿ファン４５、再生ファン３８、および、ロータモータ４５をＯＮして、処理をＳ１０に進める。
【００５１】
つまり、以上の、Ｓ４〜Ｓ９の処理により、再生経路温度が設定値ＴＡ以上であれば、除湿運転（衣類乾燥運転）がなされず、エラー表示がなされる。また、再生経路温度が設定値ＴＡ未満であれば衣類乾燥運転が実行され（衣類乾燥運転モード：表１参照）、さらに、室内湿度が設定値ＨＢ未満となれば設定値ＨＡ以上となるまで、再生ヒータ１９のみ運転が停止された状態で衣類乾燥運転が実行される（送風運転モード：表１参照）。
【００５２】
Ｓ１０では、制御部１０は、衣類乾燥運転を継続するか否か、つまり、ユーザから衣類乾燥運転を終了する旨の操作が未だなされていないかどうかを判断する。そして、運転を継続すると判断すると、処理をＳ４に戻し、継続しない、つまり、ユーザから運転を終了する旨の操作がなされたと判断すると、処理をＳ１１に進める。
【００５３】
Ｓ１１では、制御部１０は、タイマ６のカウントを開始し、処理をＳ１２に進める。Ｓ１２では、制御部１０は、Ｓ１３でタイマ６のカウントが終了したと判断するまで、Ｓ７と同様に、再生ヒータ１９をＯＦＦし、かつ、除湿ファン４５、再生ファン３８、および、ロータモータ４５をＯＮする。
【００５４】
Ｓ１１〜Ｓ１３の処理により、除湿機では、タイマ６のカウントする時間だけ、各ファンが駆動し、除湿機本体内部が冷却される。このような処理が、表１の冷却運転に相当する。
【００５５】
以上、図２を用いて説明した本実施の形態の除湿機における制御下での、室内湿度と再生経路温度との時間変化の一例を、以下に図３を参照しつつ説明する。図３は、図２に示した制御下での、室内湿度（図３（Ａ））と再生経路温度（図３（Ｂ））の時間変化を示す図である。なお、図３では、湿度はＲＨ１＞ＲＨ２＞ＲＨ３となり、設定値ＨＡはＲＨ２に、設定値ＨＢはＲＨ３に対応している。また、温度はＴ１＞Ｔ２＞Ｔ３＞Ｔ４となり、設定値ＴＡはＴ１に対応している。また、図３（Ａ）と図３（Ｂ）とでは、ｔａ，ｔｂ等は同じ時刻を表している。そして、室内湿度、再生経路温度の一例は、それぞれ実線で示されている。
【００５６】
時間ｔａで運転スイッチ１が操作された後、衣類乾燥スイッチ２が操作されると、この時点では、室内湿度ＲＨ１がＨＡ（＝ＲＨ２）以上であり、再生経路温度Ｔ３がＴＡ（＝Ｔ１）未満であるため、衣類乾燥の運転モード(表１参照）が開始される。これにより、室内湿度はＲＨ１から低下し、再生経路温度はＴ３から上昇する。
【００５７】
そして、室内湿度がＲＨ３を下回ると（時間ｔｃ）、再生ヒータ１９の運転のみが停止される送風運転モードに切替えられる。これにより、室内湿度はＲＨ３を越えて上昇するが、Ｔ２まで上昇した再生経路温度は、下降する。
【００５８】
そして、室内湿度がＲＨ２に達すると、再度、衣類乾燥の運転モードが再開される。
【００５９】
本実施の形態の除湿機では、室内湿度に応じて適宜送風運転が行なわれるため、室内湿度を所定の値以下に抑えつつ、再生空気がＴ１のような高温となることを回避できる。つまり、除湿機の内部が過剰な高温となることを回避できる。
【００６０】
なお、たとえば時間ｔｄで、送風運転から衣類乾燥運転に切替わった直後に、ロータモータ３１Ａに異常が生じると、多くの場合、図中の一点破線で示すように、室内湿度がＲＨ３に達するより早く、再生経路温度が設定値（Ｔ１）に達する。このような場合は、エラー表示がなされ（図２のＳ９参照）、冷却運転（表１および図２のＳ１１〜Ｓ１３参照）がなされた後、運転が停止される。
【００６１】
［第２の実施の形態］
図４は、本実施の形態の除湿機の制御ブロック図である。
【００６２】
本実施の形態の除湿機は、第１の実施の形態の除湿機と類似した構成を有し、第１の実施の形態の除湿機との相違点は、再生温度センサ８の代わりに、乾燥空気３６（図９参照）の温度を測定する排気温度センサ９を備えている点である。
【００６３】
本実施の形態の除湿機においても、表１〜表３を用いて説明した３つの運転モード（衣類乾燥、送風運転、冷却運転）での運転が可能である。
【００６４】
また、本実施の形態の除湿機では、湿度センサ４および排気温度センサ９の検出出力が、ヒータ出力判定部１１に入力される。ヒータ出力判定部１１は、当該検出出力に基づき、駆動部７を介して、再生ヒータ１９の出力を制御する。
【００６５】
図５は、本実施の形態の除湿機において運転スイッチ１および衣類乾燥スイッチ２が操作された際に制御部１０が実行する制御フローチャートである。以下に、図５を参照しつつ、除湿を行なう際の、除湿機における動作内容を説明する。
【００６６】
運転スイッチ１が操作された後、衣類乾燥スイッチ２が操作されると、Ｓ２１で、制御部１０は、排気温度センサ９の検出出力を読込む。なお、排気温度センサ９の検出した温度を、以降、乾燥空気温度と言う。
【００６７】
そして、制御部１０は、Ｓ２２で、乾燥空気温度と予め設定された温度データ（設定値：ＴＣ）とを比較し、乾燥空気温度が設定値ＴＣ以上の場合は、故障による異常温度上昇とみなして、Ｓ２９に処理を進め、エラー表示をする。一方、乾燥空気温度が設定値ＴＣ未満である場合には、処理をＳ２３に進める。
【００６８】
Ｓ２３で、制御部１０は、Ｓ３（図２参照）と同様の衣類乾燥運転を行なう。Ｓ２３で衣類乾燥運転を開始した後、制御部１０は、Ｓ２４で、排気温度センサ９および湿度センサ４の検出信号を読込む。そして、Ｓ２５で、これらの検出出力をそれぞれ設定値ＴＣ，予め定められた湿度データ（設定値：ＨＡ）と比較し、排出空気温度が上記の設定値ＴＣ未満であり、かつ、室内湿度が設定値ＨＡ以上である場合には、処理をＳ２８に進める。一方、排出空気温度が設定値ＴＣ以上であるか、または、室内湿度が設定値ＨＡ未満である場合には、処理をＳ２６に進める。
【００６９】
Ｓ２８では、制御部１０は、再生ヒータ１９、除湿ファン４５、再生ファン３８、および、ロータモータ４５をＯＮして、処理をＳ３０に進める。
【００７０】
一方、Ｓ２６では、制御部１０は、排気温度センサ９および湿度センサ４の検出信号をそれぞれ設定値ＴＣ，予め定められた湿度データ（設定値：ＨＢ＞ＨＡ）と比較し、乾燥空気温度が設定値ＴＣ未満であり、かつ、室内湿度が設定値ＨＢ未満である場合には、処理をＳ２７に進める。一方、そうでない場合、つまり、乾燥空気温度が設定値ＴＣ以上である場合には、Ｓ２９でエラー表示を行なった後、処理をＳ３１に進める。
【００７１】
Ｓ２７では、制御部１０は、再生ヒータ１９をＯＦＦし、かつ、除湿ファン４５、再生ファン３８、および、ロータモータ４５をＯＮして、処理をＳ３０に進める。
【００７２】
つまり、以上の、Ｓ２４〜Ｓ２９の処理により、乾燥空気温度が設定値ＴＣ以上であれば、除湿運転（衣類乾燥運転）がなされず、エラー表示がなされる。また、乾燥空気温度が設定値ＴＣ未満であれば衣類乾燥運転が実行され（衣類乾燥運転モード：表１参照）、さらに、室内湿度が設定値ＨＢ未満となれば設定値ＨＡ以上となるまで、再生ヒータ１９のみ運転が停止された状態で衣類乾燥運転が実行される（送風運転モード：表１参照）。
【００７３】
Ｓ３０では、制御部１０は、衣類乾燥運転を継続するか否か、つまり、ユーザから衣類乾燥運転を終了する旨の操作が未だなされていないかどうかを判断する。そして、運転を継続すると判断すると、処理をＳ２４に戻し、継続しない、つまり、ユーザから運転を終了する旨の操作がなされたと判断すると、処理をＳ３１に進める。
【００７４】
Ｓ３１では、制御部１０は、タイマ６のカウントを開始し、処理をＳ３２に進める。Ｓ３２では、制御部１０は、Ｓ３３でタイマ６のカウントが終了したと判断するまで、Ｓ２７と同様に、再生ヒータ１９をＯＦＦし、かつ、除湿ファン４５、再生ファン３８、および、ロータモータ４５をＯＮする。
【００７５】
以上、図５を用いて説明した本実施の形態の除湿機における制御下での、室内湿度と乾燥空気温度との時間変化の一例を、以下に図６を参照しつつ説明する。図６は、図５に示した制御下での、室内湿度（図６（Ａ））と乾燥空気温度（図６（Ｂ））の時間変化を示す図である。なお、図６では、湿度はＲＨ１＞ＲＨ２＞ＲＨ３となり、設定値ＨＡはＲＨ２に、設定値ＨＢはＲＨ３に対応している。また、温度はＴ５＞Ｔ６＞Ｔ７＞Ｔ８となり、設定値ＴＣはＴ５に対応している。また、図３（Ａ）と図３（Ｂ）とでは、ｔａ１，ｔｂ１等は同じ時刻を表している。そして、室内湿度、乾燥空気温度の一例は、それぞれ実線で示されている。
【００７６】
時間ｔａで運転スイッチ１が操作された後、衣類乾燥スイッチ２が操作されると、この時点では、室内湿度ＲＨ１がＨＡ（＝ＲＨ２）以上であり、乾燥空気温度Ｔ７がＴＣ（＝Ｔ５）未満であるため、衣類乾燥の運転モード(表１参照）が開始される。これにより、室内湿度はＲＨ１から低下し、乾燥空気温度はＴ７から上昇する。
【００７７】
そして、室内湿度がＲＨ３を下回ると（時間ｔｃ１）、再生ヒータ１９の運転のみが停止される送風運転モードに切替えられる。これにより、室内湿度はＲＨ３を越えて上昇するが、Ｔ６まで上昇した乾燥空気温度は、下降する。
【００７８】
そして、室内湿度がＲＨ２に達すると、再度、衣類乾燥の運転モードが再開される。
【００７９】
本実施の形態の除湿機では、室内湿度に応じて適宜送風運転が行なわれるため、室内湿度を所定の値以下に抑えつつ、除湿機から排出される空気がＴ５のような高温となることを回避できる。つまり、除湿機の内部が過剰な高温となることを回避できる。
【００８０】
なお、たとえば時間ｔｄ１で、送風運転から衣類乾燥運転に切替わった直後に、ロータモータ３１Ａに異常が生じると、多くの場合、図中の一点破線で示すように、室内湿度がＲＨ３に達するより早く、乾燥空気温度が設定値（Ｔ５）に達する。このような場合は、エラー表示がなされ（図５のＳ２９参照）、冷却運転（表１および図５のＳ３１〜Ｓ３３参照）がなされた後、運転が停止される。
【００８１】
［第３の実施の形態］
図７は、本実施の形態の除湿機の制御ブロック図である。
【００８２】
本実施の形態の除湿機は、第１の実施の形態の除湿機と類似した構成を有し、第１の実施の形態の除湿機との相違点は、第２の実施の形態の除湿機の備える排気温度センサ９をさらに備えている点である。
【００８３】
本実施の形態の除湿機においても、表１〜表３を用いて説明した３つの運転モード（衣類乾燥、送風運転、冷却運転）での運転が可能である。
【００８４】
また、本実施の形態の除湿機では、湿度センサ４、再生温度センサ８、および、排気温度センサ９の検出出力が、ヒータ出力判定部１１に入力される。ヒータ出力判定部１１は、当該検出出力に基づき、駆動部７を介して、再生ヒータ１９の出力を制御する。
【００８５】
図８は、本実施の形態の除湿機において運転スイッチ１および衣類乾燥スイッチ２が操作された際に制御部１０が実行する制御フローチャートである。以下に、図８を参照しつつ、除湿を行なう際の、除湿機における動作内容を説明する。
【００８６】
運転スイッチ１が操作された後、衣類乾燥スイッチ２が操作されると、Ｓ４１で、制御部１０は、再生温度センサ８および排気温度センサ９の検出出力を読込む。なお、本実施の形態では、第１の実施の形態および第２の実施の形態と同様に、再生温度センサ８の検出した温度を再生経路温度と言い、排気温度センサ９の検出した温度を乾燥空気温度と言う。
【００８７】
そして、制御部１０は、Ｓ４２で、再生経路温度と予め設定された温度データ（設定値：ＴＡ）とを比較判断し、かつ、乾燥空気温度と予め設定された温度データ（設定値：ＴＣ）とを比較して、再生経路温度および乾燥空気温度がいずれも各設定値よりも下回っているか否かを判断し、いずれもが設定値を下回っていると判断するとＳ４３に処理を進める。一方、再生経路温度と乾燥空気温度のすくなくともいずれかが設定値以上である場合は、ファンやモータ等の故障による異常温度上昇とみなして、Ｓ４９に処理を進め、エラー表示をする。
【００８８】
Ｓ４３で、制御部１０は、Ｓ５（図２参照）と同様の衣類乾燥運転を行なう。Ｓ４３で衣類乾燥運転を開始した後、制御部１０は、Ｓ４４で、再生温度センサ８、排気温度センサ９および湿度センサ４の検出信号を読込み、処理をＳ４５に進める。
【００８９】
Ｓ４５で、制御部１０は、Ｓ４４における検出出力をそれぞれ設定値ＴＡ，ＴＣ，予め定められた湿度データ（設定値：ＨＡ）と比較する。そして、再生経路温度が上記の設定値ＴＡ未満であり、排出空気温度が上記の設定値ＴＣ未満であり、かつ、室内湿度が設定値ＨＡ以上である場合には、処理をＳ４８に進める。一方、再生経路温度が設定値ＴＡ以上、排出空気温度が設定値ＴＣ以上、および、室内湿度が設定値ＨＡ未満、という３つ条件の中の少なくとも一つが満たされる場合には、処理をＳ４６に進める。
【００９０】
Ｓ４８では、制御部１０は、再生ヒータ１９、除湿ファン４５、再生ファン３８、および、ロータモータ４５をＯＮして、処理をＳ５０に進める。
【００９１】
一方、Ｓ４６では、制御部１０は、再生温度センサ８、排気温度センサ９、および、湿度センサ４の検出信号をそれぞれ設定値ＴＡ，ＴＣ，予め定められた湿度データ（設定値：ＨＢ＞ＨＡ）と比較し、再生経路温度が設定値ＴＡ未満であり、乾燥空気温度が設定値ＴＣ未満であり、かつ、室内湿度が設定値ＨＢ未満である場合には、処理をＳ４７に進める。一方、そうでない場合、つまり、再生経路温度が設定値ＴＡ以上および／または乾燥空気温度が設定値ＴＣ以上である場合には、Ｓ４９でエラー表示を行なった後、処理をＳ５１に進める。
【００９２】
Ｓ４７では、制御部１０は、再生ヒータ１９をＯＦＦし、かつ、除湿ファン４５、再生ファン３８、および、ロータモータ４５をＯＮして、処理をＳ５０に進める。
【００９３】
つまり、以上の、Ｓ４４〜Ｓ４９の処理により、再生経路温度と乾燥空気温度の少なくとも一方が設定値（ＴＡ，ＴＣ）以上であれば、除湿運転（衣類乾燥運転）がなされず、エラー表示がなされる。また、再生経路温度および乾燥空気温度のいずれもが設定値未満であれば衣類乾燥運転が実行され（衣類乾燥運転モード：表１参照）、さらに、室内湿度が設定値ＨＢ未満となれば設定値ＨＡ以上となるまで、再生ヒータ１９のみ運転が停止された状態で衣類乾燥運転が実行される（送風運転モード：表１参照）。
【００９４】
Ｓ５０では、制御部１０は、衣類乾燥運転を継続するか否かを判断する。そして、運転を継続すると判断すると、処理をＳ４４に戻し、継続しないと判断すると、処理をＳ５１に進める。
【００９５】
Ｓ５１では、制御部１０は、タイマ６のカウントを開始し、処理をＳ５２に進める。Ｓ５２では、制御部１０は、Ｓ５３でタイマ６のカウントが終了したと判断するまで、Ｓ４７と同様に、再生ヒータ１９をＯＦＦし、かつ、除湿ファン４５、再生ファン３８、および、ロータモータ４５をＯＮする。
【００９６】
以上説明した第３の実施の形態では、再生温度センサ８と排気温度センサ９の二つの検出出力に応じて、エラー表示を行なうか否かが決定される。具体的には双方の検出出力の少なくともいずれか一方が設定値以上となると、エラー表示が行なわれる。なお、本発明の除湿機において、複数の温度センサを備える例は、これに限定されない。たとえば、除湿機にさらに多くの温度センサを備えさせ、そして、それらも含めた中のいずれか一つの温度センサの検出出力が、個々の温度センサに対して予め定められた設定温度以上となった場合に、Ｓ４９のエラー表示を行なうよう、除湿機が構成されてもよい。
【００９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００９８】
【発明の効果】
以上説明した本発明によると、乾燥の対象となる空気の湿度がある程度低く、吸湿剤の再生がある程度で充分であると考えられる場合であって、除湿機本体または内部の温度が予め定められた温度未満の場合には、乾燥ユニットが運転中であってもヒータの運転が停止される。これにより、室内の湿度が低い場合にヒータが無駄に運転されることを回避できる。したがって、除湿機において、本体内の部材の過剰な温度上昇を防止しつつ、室内の湿度が低い場合でも除湿運転が可能となる。
【図面の簡単な説明】
【図１】  本発明の第１の実施の形態の除湿機の制御ブロック図である。
【図２】  図１の除湿機において運転スイッチおよび衣類乾燥スイッチが操作された際に制御部が実行する制御フローチャートである。
【図３】  図２に示した制御下での、室内湿度と再生経路温度との時間変化の一例を示す図である。
【図４】  本発明の第２の実施の形態の除湿機の制御ブロック図である。
【図５】  図４の除湿機において運転スイッチおよび衣類乾燥スイッチが操作された際に制御部が実行する制御フローチャートである。
【図６】  図５に示した制御下での、室内湿度と乾燥空気温度との時間変化の一例を示す図である。
【図７】  本発明の第３の実施の形態の除湿機の制御ブロック図である。
【図８】  図７の除湿機において運転スイッチおよび衣類乾燥スイッチが操作された際に制御部が実行する制御フローチャートである。
【図９】  従来の除湿機の全体構成を説明するための図である。
【図１０】  従来の除湿機における衣類乾燥用の運転の制御フローチャートである。
【符号の説明】
４  湿度センサ、５  運転モード判断部、６  タイマ、７，３０，５０  駆動部、８  再生温度センサ、９  排気温度センサ、１０  制御部、１１  ヒータ出力判定部、１９  再生ヒータ、３１  除湿ロータ、３２  被除湿空気、３６  乾燥空気、３８  再生ヒータ、４５  除湿ファン、４６  除湿部、４７  再生部。
【図１】
0003830797.tif 000005
【図２】
0003830797.tif 000006
【図３】
0003830797.tif 000007
【図４】
0003830797.tif 000008
【図５】
0003830797.tif 000009
【図６】
0003830797.tif 000010
【図７】
0003830797.tif 000011
【図８】
0003830797.tif 000012
【図９】
0003830797.tif 000013
【図１０】
0003830797.tif 000014